(57)【要約】      （修正有）【課題】炉体温度を下げることなく第２の炉床の堰部高さを維持するための工事を行うことができる竪型多段床炉を提供する。【解決手段】炉体１の頂部に粒状石炭などの被処理物の導入口が設けられ、下部に処理物の取出口が設けられている。炉体内に上下に多段に炉床５が設けられている。各炉床は、外周側が炉体の内壁面に連なり、中心部に開口が設けられた円盤形状である。第２の炉床の外周側には、被処理物の落下口６が設けられている。第２の炉床の内周縁の堰状部５ｓに対し上側から被さるようにしてダム煉瓦２０が設けられている。ダム煉瓦が摩耗してきたときには炉体を冷却することなく熱間でダム煉瓦を交換することができ、短時間のうちに操業を再開することができる。【選択図】図１
2007040616.tif 000002
【特許請求の範囲】
【請求項１】
炉頂部に被処理物の導入部が設けられ、下部に処理物の取出部が設けられた炉体内に、中心部に開口を有した炉床を上下に多段に設け、かつ各炉床に対応する炉体部分にワーク口を配置させ、前記各炉床の中心部開口を通して回転軸を立設させると共に、この回転軸から各炉床の上側へ放射状に攪拌アームを延設した竪型多段床炉であって、
該炉床として、
被処理物が中心部の前記開口を通って下段の炉床に落し込まれる第１の炉床と、
被処理物を下段の炉床に落し込むための落下口が外周側に設けられた第２の炉床
とが設けられている竪型多段床炉において、
該第２の炉床の内周縁部に、前記ワーク口を通して着脱しうるダム煉瓦を設置したことを特徴とする竪型多段床炉。
【請求項２】
請求項１において、前記ダム煉瓦の外周側に、ダム煉瓦の交換用工具を引掛けるための係止部材が設けられていることを特徴とする竪型多段床炉。
【請求項３】
請求項１又は２において、前記ダム煉瓦は、該ダム煉瓦が第２の炉床上を摺動しうるように平坦面となっていることを特徴とする竪型多段床炉。
【発明の詳細な説明】
【技術分野】
【０００１】
本発明は、活性炭の賦活処理などに用いられる竪型多段床炉に関する。
【背景技術】
【０００２】
活性炭の賦活処理、成形炭の焼成処理、硫化鉱の焙焼処理などに竪型多段床炉が用いられている。
【０００３】
この竪型多段床炉の従来例の一例（特開平３−１２３６３８号）について第６，７図を参照して説明する。なお、第６図は竪型多段床炉の縦断面図、第７図は第２の炉床付近の断面斜視図である。
【０００４】
第６図の通り、円筒状の炉体１の頂部に粒状石炭などの被処理物の導入口２が設けられ、下部に処理物の取出口３が設けられている。炉体１内に上下に多段に炉床４，５が設けられている。各炉床４，５は、外周側が炉体１の内壁面に連なり、中心部に開口が設けられた円盤形状である。
【０００５】
第１の炉床４は、中心部の開口が比較的大径であり、第２の炉床５は中心部の開口が比較的小径である。第２の炉床５の外周側には、被処理物の落下口６が設けられている。第１の炉床４と第２の炉床５とは交互に配設されている。
【０００６】
各炉床４，５の中心部開口を通って回転軸７が立設されている。この回転軸７からは、各炉床４，５の上側へ放射状に攪拌アーム８が延設されている。この回転軸７はモータ９によって回転駆動される。この回転軸７は、中空管状であり、ブロワ１０によって吹き込まれる空気によって空冷される。
【０００７】
なお、各炉床４，５に対応して、炉体１の側周壁にワーク口１１が設けられている。このワーク口１１にはワークドア（図示略）が設けられている。炉体１の外周には、ワーク口１１からの作業用のワークデッキ１２が設けられている。
【０００８】
炉体１の下部には起動用のバーナ及び賦活用水蒸気の吹込ノズル（いずれも図示略）が設けられている。炉体１の上部には、排ガス出口１３が設けられている。
【０００９】
被処理物は、導入口２から炉内に連続的に導入され、回転軸７の回転に伴って順次に下段側の炉床４，５へ落とし込まれ、この間に処理される。この際、第１の炉床４上の被処理物は、該炉床４の内周縁から溢れ落ちるようにして下段側の第２の炉床５へ落下する。第２の炉床５上の被処理物は、第７図の通り、この炉床５の落下口６から下側の第１の炉床４上へ落下する。
【００１０】
最下段の炉床（この従来例では第１の炉床４）の内周縁から炉底に落下した被処理物は、取出口３から取り出される。なお、この炉底上にも攪拌アーム８が延設されている。
【特許文献１】特開平３−１２３６３８号
【発明の開示】
【発明が解決しようとする課題】
【００１１】
第２の炉床５の内周縁は、第７図に図示のように立ち上げられて堰状部５ｓとなっており、被処理物が下側へ落下しないようになっている。
【００１２】
しかしながら、長年操業を継続すると、この堰状部５ｓが摩耗して高さを減じ、或いは、炉床全体の低下によって、被処理物が第２の炉床５の中心部開口から下段側へ落下するおそれがある。このような場合に、操業を停止して炉床５を構築し直すことは、操業停止期間が極めて長くなり、生産性を損なう。また、炉を一旦冷やしてしまうと、この冷却時やその後の再昇熱時の熱歪によって炉床や炉体内壁がダメージを受け、炉体寿命を短くするおそれもある。
【００１３】
本発明は、このような問題点を解決し、炉体温度を下げることなく第２の炉床の堰部高さを維持するための工事を行うことができる竪型多段床炉を提供することを目的とする。
【課題を解決するための手段】
【００１４】
請求項１の竪型多段床炉は、炉頂部に被処理物の導入部が設けられ、下部に処理物の取出部が設けられた炉体内に、中心部に開口を有した炉床を上下に多段に設け、かつ各炉床に対応する炉体部分にワーク口を配置させ、前記各炉床の中心部開口を通して回転軸を立設させると共に、この回転軸から各炉床の上側へ放射状に攪拌アームを延設した竪型多段床炉であって、該炉床として、被処理物が中心部の前記開口を通って下段の炉床に落し込まれる第１の炉床と、被処理物を下段の炉床に落し込むための落下口が外周側に設けられた第２の炉床とが設けられている竪型多段床炉において、該第２の炉床の内周縁部に、前記ワーク口を通して着脱しうるダム煉瓦を設置したことを特徴とするものである。
【００１５】
請求項２の竪型多段床炉は、請求項１において、前記ダム煉瓦の外周側に、ダム煉瓦の交換用工具を引掛けるための係止部材が設けられていることを特徴とするものである。
【００１６】
請求項３の竪型多段床炉は、請求項１又は２において、前記ダム煉瓦は、該ダム煉瓦が第２の炉床上を摺動しうるように平坦面となっていることを特徴とするものである。
【発明の効果】
【００１７】
本発明の竪型多段床炉にあっては、第２の炉床の内周縁にダム煉瓦を設けており、ダム煉瓦が摩耗してきたときにはワーク口を通してダム煉瓦を交換することができる。このため、炉を冷却することなくダム煉瓦を交換し、短時間のうちに操業を再開することができる。
【００１８】
ダム煉瓦の外周側に係止部材（例えばフック）を設けておくことにより、ダム煉瓦の交換作業効率が向上する。
【００１９】
また、ダム煉瓦の底面を平坦面としておくことにより、ダム煉瓦の交換作業効率が向上する。
【発明を実施するための最良の形態】
【００２０】
以下、図面を参照して実施の形態について説明する。第１図は実施の形態に係る竪型多段床炉の第２の炉床部分の縦断面図、第２図は第２の炉床の内周縁付近の拡大縦断面図、第３図はダム煉瓦の斜視図、第４図及び第５図はダム煉瓦の交換作業を説明する斜視図である。
【００２１】
この実施の形態では、第２の炉床５の内周縁の堰状部５ｓに対し上側から被さるようにしてダム煉瓦２０が設けられている。第３図の通り、このダム煉瓦２０の下側面は、堰状部５ｓに重なる斜面を主体とした堰状部係合面２１と、略水平な平面よりなる底面２２とで構成されている。
【００２２】
ダム煉瓦２０の斜め上向きの側面には係止部材としてのフック２３が左右に間隔をあけて２個設けられている。
【００２３】
ダム煉瓦２０の交換を行うには、図示は省略するがワーク口１１からレーキ状の治具を炉内に挿入し第２の炉床５上の被処理物を下段側の第１の炉床４（第１〜５図では図示略）上へ落として除去しておく。その後、第４図の通り、第２の炉床５上に鉄板などよりなるガイドプレート３０，３１を敷いた後、棒状の治具４０及び補助治具５０を用いてダム煉瓦２０をワーク口１１から堰状部５ｓまでガイドプレート３０，３１及び炉床５上をスライドさせて移動させ、堰状部５ｓに被せる。第２の炉床５の内周縁にダム煉瓦２０を順次に配設し、第５図のように内周縁全体を取り囲むようにダム煉瓦２０を配置する。
【００２４】
なお、治具４０は長尺であるので、途中部分を支承部材４１で支える。また、治具４０は中空管状とし、エアー導入管４２からエアーを送り込んで空冷し、熱間での作業環境下でも治具４０が劣化しないようにする。治具４０の先端は略Ｔ字状に横棒部４３が設けられている。この横棒部４３は治具４０に対し回動可能に取り付けられている。この横棒部４３をダム煉瓦２０の２個のフック２３に引掛けることにより、ダム煉瓦２０の向きを変えながらダム煉瓦２０を目的とする堰状部５ｓ上に被せることが可能である。
【００２５】
第５図の通り第２の炉床５の全内周縁に沿ってダム煉瓦２０を配設した後、ワーク口１１を通してガイドプレート３０，３１を撤去する。
【００２６】
このようにダム煉瓦２０を設けた竪型多段床炉は、ダム煉瓦２０が摩耗してきたときには炉体を冷却することなく熱間でダム煉瓦２０を交換することができ、短時間のうちに操業を再開することができる。
【００２７】
この実施の形態では、ダム煉瓦２０にフック２３を設けると共に、ダム煉瓦２０の底面２２を平坦とし、且つ第２の炉床５上にガイドプレート３０，３１を敷いているので、ダム煉瓦２０をスムーズに移動させることができ、ダム煉瓦２０の交換作業効率が良好である。
【図面の簡単な説明】
【００２８】
【図１】実施の形態に係る竪型多段床炉の第２の炉床部分の縦断面図である。
【図２】第２の炉床の内周縁付近の縦断面図である。
【図３】ダム煉瓦の斜視図である。
【図４】ダム煉瓦の交換作業を説明する斜視図である。
【図５】ダム煉瓦の交換作業を説明する斜視図である。
【図６】竪型多段床炉の縦断面図である。
【図７】第２の炉床付近の断面斜視図である。
【符号の説明】
【００２９】
４  第１の炉床
５  第２の炉床
５ｓ  堰状部
６  落下口
７  回転軸
８  アーム
２０  ダム煉瓦
２３  フック
【図１】
2007040616.tif 000003
【図２】
2007040616.tif 000004
【図３】
2007040616.tif 000005
【図４】
2007040616.tif 000006
【図５】
2007040616.tif 000007
【図６】
2007040616.tif 000008
【図７】
2007040616.tif 000009